(57)【特許請求の範囲】
【請求項１】
下側が開放された鋼函製の採掘室用容器と、海面上の作業船から垂下され、下端が前記採掘室用容器の天井部分から軸方向には移動可能で水平方向の相対移動が規制された状態で挿入された中空筒状の揚泥管とを有し、
前記揚泥管には、下端開口からの海底の泥土を水とともに上昇させるための上昇流発生手段が備えられ、
前記採掘室用容器は、前記揚泥管の下端部に対し、該揚泥管の下端部分が採掘室用容器内に位置した状態で抜け落ち不能に連結されているとともに前記揚泥管が前記作業船から水底に向けて繰り出されることによって水底に着底されるようになっており、該採掘室用容器が着底した状態で前記作業船から水底に向けて繰り出されることによって、その下端が、前記採掘室用容器の下側の開放部分より下側に降下されるようになっており、
前記採掘室用容器には、その下端に水平配置の水底泥土内沈降防止板を一体に備えていることを特徴としてなる深海におけるレアアース資源泥の採掘装置。
【請求項２】
前記採掘室用容器には、前記揚泥管を水平方向に強制的に相対移動させる強制水平移動手段を備えている請求項1に記載の深海におけるレアアース資源泥の採掘装置。
【請求項３】
前記採掘室用容器には、該採掘室用容器が水底から離れている状態時に水平位置をコントロールするための水平移動用推進装置を備えている請求項１又は２の何れか１に記載の深海におけるレアアース資源泥の採掘装置。
【請求項４】
前記採掘室用容器には、該採掘室用容器を上下方向に移動させる上下移動用推進装置を備えている請求項１〜３の何れか１に記載の深海におけるレアアース資源泥の採掘装置。
【請求項５】
下側が開放された鋼函製の採掘室用容器と、海面上の作業船から垂下され、下端が前記採掘室用容器の天井部分から軸方向には移動可能で水平方向の相対移動が規制された状態で挿入された中空筒状の揚泥管とを有し、
前記揚泥管には、下端開口からの海底の泥土を水とともに上昇させるための上昇流発生手段が備えられ、
前記採掘室用容器は、前記揚泥管の下端部に対して抜け落ち不能に連結されていて、前記揚泥管が前記作業船から水底に向けて繰り出されることによって水底に着底されるようになっているとともに、前記揚泥管は、前記採掘室用容器が着底した状態でその下端を海底表面の泥質地盤に挿入可能となっている装置を使用し、
前記採掘室用容器に対し、前記揚泥管の下端部分を挿入した状態で支持させ、該揚泥管を順次継ぎ足しつつ前記作業船から降下させ、
前記採掘室用容器の着底後、前記上昇流発生手段を作動させつつ前記揚泥管の下端を水底地盤に挿入し、所望の深さまで前記揚泥管を海底の泥土地盤に挿入して揚泥することを特徴としてなる深海におけるレアアース資源泥の採掘方法。
【請求項６】
前記採掘室用容器の着底後、上昇流発生手段を作動させつつ前記揚泥管の下端を水底地盤に挿入し、所望の深さまで前記揚泥管を海底の泥土地盤に挿入して揚泥した後、該揚泥管をその下端が前記水底地盤表面上まで引き上げ、該揚泥管を強制水平移動手段によって、水平方向に移動させた後水底地盤表面より所望の深さまで該揚泥管の下端を水底地盤に挿入する操作を繰り返して海底の泥土を採掘する請求項５に記載の深海におけるレアアース資源泥の採掘方法。
【請求項７】
前記揚泥管を採掘室用容器に対して所望の幅だけ水平移動させつつ海底の泥土を採掘した後、該揚泥管の下端及び前記採掘室用容器を水底地盤から離れるまで上昇させ、前記採掘室用容器に備えた水平移動用推進装置によって該採掘室用容器を水平移動させた後、前記所望幅の海底の泥土採掘を行う請求項６に記載の深海におけるレアアース資源泥の採掘方法。
【発明の詳細な説明】
【技術分野】
【０００１】
本発明は、深海の水底の表層部分や表層から数ｍ程度下の部分に存在しているレアアースを高濃度に含有するレアアース資源泥を採掘する深海におけるレアアース資源泥の採掘装置及び同採掘方法関する。
【背景技術】
【０００２】
近年、深海の水底に、レアアースを高濃度に含有したレアアース資源泥地盤の存在が判明しており、その量は中国などの陸上埋蔵量より遥かに多く、その品質も陸上埋蔵型の鉱床に比べて有害物質を含まず、資源泥からのレアアースの分離も容易であることなどからその有用性が注目されている。しかし、レアアース資源泥は、水深３５００ｍ〜６０００ｍの深海に存在しており、従来の浚渫や海底鉱物採掘技術をそのまま使用することはできない。
【０００３】
水底のレアアース資源泥床の採掘方法として、水中ブルドーザや水中バツクホー等の土木機械を使用してレアアース資源泥を採掘し、これを水底に設置したステーションに集め、集められたレアアース資源泥を、ホースを通して水上に揚泥する方法が提案されている。
【０００４】
また、海底油田の採掘のように、水上の作業船から鋼管（例えばライザー管）を垂下させてその下端を深海の水底資源泥床に到達させ、鋼管内に空気を送り込むことにより上昇流を発生させ、これに乗せて資源泥を上昇させ船上まで移動させる方法（例えば特許文献１）が提案されている。
【先行技術文献】
【特許文献】
【０００５】
【特許文献１】特開２０１３−３６４２１号公報
【発明の開示】
【発明が解決しようとする課題】
【０００６】
しかし、上述したいずれの従来技術も、レアアース資源泥層が水深３５００ｍ以上もの深海に存在しているため、深海条件下で稼働可能な水中ブルドーザ等の土木機械の開発が未だ完成に至っていない。また、特に鋼管を使用する方法は有効ではあるが、レアアース資源泥層は、水平方向に大きな広がりを持っているため、鋼管を水平移動させながらレアアース資源泥を吸い上げる必要があるため、石油やガス資源の採掘のように固定位置での採掘では効率が悪い。
【０００７】
このため鋼管の上端を支持させた船を移動させてレアアース資源泥採掘位置を移動させる方法が考えられるが、３５００ｍ以上もの長さのある鋼管は、潮流によって湾曲するため、操船による移動では、鋼函下端位置の正確性を欠き、現実的でないという問題がある。
【０００８】
また、従来考えられている鋼管を水底に挿入して水底地盤下の資源を採取する技術は、深海から石油や天然ガスを採取する技術を基本としており、作業船上で鋼管を連結して降下させる作業の繰り返し、鋼管の先端が海底に着底したら予め装備しておいた採掘機を回転させて掘り進む。これによって海底から数百ｍ程度掘るものであるが、最近は技術の進歩によりさらに深い深度まで採掘が可能になっている。
【０００９】
近年の水底探査船である地球船号では海底下７０００ｍまで掘る技術力があるが、あくまでも調査のための採掘であり、実際の海底下資源の採掘には実用的ではない。
【００１０】
また、大水深といえども鋼管が海底に突き刺されば先端の振動や水平移動は規制されるが、水底のレアアース資源泥採取においては、鋼管を海底地盤に突き刺さないため、水底地盤による水平移動の拘束ができず、海流や潮流により、大水深における鋼管は振動し始めることとなる。
【００１１】
本発明はこのような従来の問題に鑑み、水深３５００ｍよりも深い深海においても、レアアース資源泥層の水平方向の広範な広がりに対応し、安全に採掘し、揚泥できる深海におけるレアアース資源泥の採掘装置及び同採掘方法の提供を目的としてなされたものである。
【課題を解決するための手段】
【００１２】
上述した従来の問題を解決するための本発明の第１の特徴は、下側が開放された鋼函製の採掘室用容器と、海面上の作業船から垂下され、下端が前記採掘室用容器の天井部分から軸方向には移動可能で水平方向の相対移動が規制された状態で挿入された中空筒状の揚泥管とを有し、前記揚泥管には、下端開口からの海底の泥土を水とともに上昇させるための上昇流発生手段が備えられ、前記採掘室用容器は、前記揚泥管の下端部に対し、該揚泥管の下端部分が採掘室用容器内に位置した状態で抜け落ち不能に連結されているとともに前記揚泥管が前記作業船から水底に向けて繰り出されることによって水底に着底されるようになっており、該採掘室用容器が着底した状態で前記作業船から水底に向けて繰り出されることによって、その下端が、前記採掘室用容器の下側の開放部分より下側に降下されるようになっており、前記採掘室用容器には、その下端に水平配置の水底泥土内沈降防止板を一体に備えていることにある。
【００１３】
本発明の第２の特徴は、前記採掘室用容器には、前記揚泥管を水平方向に強制的に相対移動させる強制水平移動手段を備えていることにある。
【００１４】
本発明の第３の特徴は、前記採掘室用容器には、該採掘室用容器が水底から離れている状態時に水平位置をコントロールするための水平移動用推進装置を備えていることにある。
【００１５】
本発明の第４の特徴は、前記採掘室用容器には、該採掘室用容器を上下方向に移動させる上下移動用推進装置を備えていることにある。
【００１６】
本発明の第５の特徴は、下側が開放された鋼函製の採掘室用容器と、海面上の作業船から垂下され、下端が前記採掘室用容器の天井部分から軸方向には移動可能で水平方向の相対移動が規制された状態で挿入された中空筒状の揚泥管とを有し、前記揚泥管には、下端開口からの海底の泥土を水とともに上昇させるための上昇流発生手段が備えられ、前記採掘室用容器は、前記揚泥管の下端部に対して抜け落ち不能に連結されていて、前記揚泥管が前記作業船から水底に向けて繰り出されることによって水底に着底されるようになっているとともに、前記揚泥管は、前記採掘室用容器が着底した状態でその下端を海底表面の泥質地盤に挿入可能となっている装置を使用し、前記採掘室用容器に対し、前記揚泥管の下端部分を挿入した状態で支持させ、該揚泥管を順次継ぎ足しつつ前記作業船から降下させ、前記採掘室用容器の着底後、前記上昇流発生手段を作動させつつ前記揚泥管の下端を水底地盤に挿入し、所望の深さまで前記揚泥管を海底の泥土地盤に挿入して揚泥することにある。
【００１７】
本発明の第６の特徴は、前記採掘室用容器の着底後、上昇流発生手段を作動させつつ前記揚泥管の下端を水底地盤に挿入し、所望の深さまで前記揚泥管を海底の泥土地盤に挿入して揚泥した後、該揚泥管をその下端が前記水底地盤表面上まで引き上げ、該揚泥管を強制水平移動手段によって、水平方向に移動させた後水底地盤表面より所望の深さまで該揚泥管の下端を水底地盤に挿入する操作を繰り返して海底の泥土を採掘することにある。
【００１８】
本発明の第７の特徴は、前記揚泥管を採掘室用容器に対して所望の幅だけ水平移動させつつ海底の泥土を採掘した後、該揚泥管の下端及び前記採掘室用容器を水底地盤から離れるまで上昇させ、前記採掘室用容器に備えた水平移動用推進装置によって該採掘室用容器を水平移動させた後、前記所望幅の海底の泥土採掘を行うことにある。
【発明の効果】
【００１９】
本発明では、下側が開放された鋼函製の採掘室用容器と、海面上の作業船から垂下され、下端が前記採掘室用容器の天井部分から軸方向には移動可能で水平方向の相対移動が規制された状態で挿入された中空筒状の揚泥管とを有し、前記揚泥管には、下端開口からのレアアース資源泥を水とともに上昇させるための上昇流発生手段が備えられ、前記採掘室用容器は、前記揚泥管の下端部に対して抜け落ち不能に連結されていて、前記揚泥管が前記作業船から水底に向けて繰り出されることによって水底に着底されるようになっているとともに、前記揚泥管は、前記採掘室用容器が着底した状態でその下端を海底表面の泥質地盤に挿入可能となっていることとにより、揚泥管の下端は、水底面上に着底させた採掘室用容器によって水平方向の移動が規制されるため、揚泥管を海上の作業船から３５００ｍ〜６０００ｍもの深さまで垂下させ場合においても、水底の泥土を吸い上げる揚泥管の下端位置の調整が、容易にコントロールできることとなる。
【００２０】
また、採掘室用容器により揚泥管の下端位置を拘束できるため、潮流によって揚泥管にたわみが生じたとしても、繰り返し曲げ力が作用する振動の発生が抑制され、揚泥管の繰り返し曲げ作用による劣化、損傷を少なくできる。
【００２１】
本発明では、採掘室用容器には、その下端に水平配置の水底泥土内沈降防止板を一体に備えていることにより、水底でのレアアース資源泥層内への沈み込みを少なくでき、所望の採泥効率を達成できる。
【００２２】
本発明では、採掘室用容器には、前記揚泥管を水平方向に強制的に相対移動させる強制水平移動手段を備えていることにより、水底への降下作業時には、揚泥管によって採掘室用容器をその重心上の位置に吊り持ちさせた状態で降下させることができ、更に、レアアース資源泥の採掘作業に際しては、採掘室用容器内における揚泥管の下端位置を移動させることによって、採掘室用容器の幅を限度として揚泥管下端の移動が可能となり、水底を揚泥管下端でスキャンする如き動きの採掘作業が可能となり、採掘効率が高いものとなる。
【００２３】
本発明では、採掘室用容器には、該採掘室用容器が水底から離れている状態時に水平位置をコントロールするための水平移動用推進装置を備えていることにより、揚泥管を水面から水底面まで垂下させる際に、潮流の作用によって湾曲するような場合であっても、自らの位置をコントロールすることができ、水底の適切な位置に揚泥管の下端位置を移動させることができる。
【００２４】
また、採掘室用容器の沈降時や沈降後に水底から離れた状態のときに、潮流速度が大きいと揚泥管には大きな水平方向の力が作用し、撓みが大きくなるが、水平移動用推進装置を使用して、水平方向力作用により揚泥管に加わる張力を適切に調整できる。
【００２５】
本発明では、採掘室用容器には、該採掘室用容器を上下方向に移動させる上下移動用推進装置を備えていることにより、着底させた採掘室用容器を移動させる動作を上下移動用推進装置によって行うこと、又は浮力調整装置とともに作動させて行うことが可能となる。
【００２６】
また、上下移動用推進装置によって沈降途中において採掘室用容器に対し、上向きの推進力を作用させることにより、揚泥管に掛かる重量が軽減され、前述と同様に縦方向の振動を抑制することができる。
【００２７】
本発明では、下側が開放された鋼函製の採掘室用容器と、海面上の作業船から垂下され、下端が前記採掘室用容器の天井部分から軸方向には移動可能で水平方向の相対移動が規制された状態で挿入された中空筒状の揚泥管とを有し、前記揚泥管には、下端開口からのレアアース資源泥を水とともに上昇させるための上昇流発生手段が備えられ、前記採掘室用容器は、前記揚泥管の下端部に対して抜け落ち不能に連結されていて、前記揚泥管が前記作業船から水底に向けて繰り出されることによって水底に着底されるようになっているとともに、前記揚泥管は、前記採掘室用容器が着底した状態でその下端を海底表面の泥質地盤に挿入可能となっている装置を使用し、前記採掘室用容器に対し、前記揚泥管の下端部分を挿入した状態で支持させ、該揚泥管を順次継ぎ足しつつ前記作業船から降下させ、前記採掘室用容器の着底後、前記上昇流発生手段を作動させつつ前記揚泥管の下端を水底地盤に挿入し、所望の深さまで前記揚泥管をレアアース資源泥地盤に挿入して揚泥した後、該揚泥管をその下端が前記水底地盤表面上まで引き上げ、該揚泥管を前記強制水平移動手段によって、水平方向に移動させた後水底地盤表面より所望の深さまで該揚泥管の下端を水底地盤に挿入する操作を繰り返してレアアース資源泥を採掘することにより、水底の表面あるいはその数ｍ下に広範な広がりをもって堆積しているレアアース資源泥を、堀残しを少なくし、効率よく、低コストでの採掘が可能となる。
【００２８】
本発明では、揚泥管を採掘室用容器に対して所望の幅だけ水平移動させつつレアアース資源泥を採掘した後、該揚泥管の下端及び前記採掘室用容器を水底地盤から離れるまで上昇させ、前記採掘室用容器に備えた水平移動用推進装置によって該採掘室用容器を水平移動させた後、前記所望幅のレアアース資源泥採掘を行うことにより、水底の表面あるいはその数ｍ下に広範な広がりをもって堆積しているレアアース資源泥を、堀残しを極力少なくし、より低コストでの採掘が可能となる。
【図面の簡単な説明】
【００２９】
【図１】本発明に係る深海におけるレアアース資源泥の採掘装置の一例の概略を示す縦断面図である。
【図２】図１に示す装置におけるエアリフト用給気管の例を示す部分断面図である。
【図３】図１に示す装置の揚泥管途中に設置する脱気装置の例を示す部分断面図である。
【図４】図１に示す装置における採掘室用容器を示す縦断面図である。
【図５】同上の平面図である。
【図６】図４に示す採掘室容器に備えた水平移動架台を示す縦断正面図である。
【図７】同縦断側面図である。
【図８】（ａ）〜（ｃ）は、本発明方法における採掘室用容器を水底へ降下する工程の説明図である。
【図９】（ａ）〜（ｄ）は、本発明方法における揚泥管の採掘室容器に対する移動状態を示す説明図である。
【図１０】（ａ）〜（ｄ）は、本発明方法における採掘時における水底面の採掘穴の状態を示す説明図である。
【発明を実施するための最良の形態】
【００３０】
本発明の実施の形態を、図面に基づいて説明する。
【００３１】
図１は本発明に係る深海におけるレアアース資源泥の採掘装置の一例の概略構成を示している。図において符号1はレアアース資源泥採取船１である。このレアアース資源泥採取船１には、水底のレアアース資源泥層２からレアアース資源泥を上昇させるための揚泥管３であり、その下端が水底のレアアース資源泥層２に達する長さに垂下されている。
【００３２】
揚泥管３は、複数の鋼管を順次継ぎ足しつつ水底に達する長さとしており、船上の揚泥管垂下装置５によって上下に移動させることができるようになっている。また、揚泥管３は、図２に示すように、内部にエアリフト用給気管６が固定されており、その下端が揚泥管３の開口部内に上向きに開口され、エアリフト用の空気を揚泥管３内に供給するようになっている。
【００３３】
尚、揚泥管３としては、鋼管の他に、またCFPR（炭素繊維補強管）を使用してもよく、このCFPRの使用によって揚泥管の水中重量を軽減され、鋼管使用の際の水中重量増大に関する問題は解決される。
【００３４】
揚泥管３には、潮流によって繰り返し曲げ力が作用した場合においても材料の疲労が防止されるために、その外周に補強凸条を一体に固着させることが好ましい。この補強凸条は揚泥管３の外周に螺旋状に巻きつけた形状や、揚泥管３の長さ方向に向けた直線状のものを揚泥管３周囲に一定間隔を隔てて複数設けた形状のものを使用できる。
【００３５】
更に、揚泥管３には、上下に間隔を隔てた所定の位置に脱気装置７を設け、揚泥管３の下端に供給されたエアリフト用空気が揚泥管３中を上昇中における水圧低下によって必要以上に膨張した空気の一部を揚泥管３外に排気させるようになっている。
【００３６】
脱気装置７は、例えば図３に示すように揚泥管３の途中にリボンスクリュー８を設置しておき、螺旋流を形成させることにより、遠心力を利用して水管中心部に空気を集め、その一部を管中心部に挿入した脱気管９を通じて排気させる構造が採用できる。
【００３７】
揚泥管３の下端は、水底に沈めた採掘室用容器１０内に挿入され、その天井部の挿入位置を規制するとともに揚泥管３を水平方向に強制的に相対移動させることができるようになっている。
更に、揚泥管３には、その長さ方向に所定の間隔をあけて浮力体３８が固定されている。この浮力体としては、一例としてシンタクチックフォーム（ｓｙｎｔａｃｔｉｃ ｆｏａｍ）と称されている、ガラス・金属・高分子などでできた中空の微小球を樹脂で固めた、軽量かつ高強度の複合材料であって、従来深海調査船の浮力体として利用される材料が利用できる。
【００３８】
採掘室用容器１０は、図４に示すように筒状をした中空の胴部１１を有し、その下端が開放され上端が天井板１２により閉鎖された円筒状に形成されている。胴部１１の下端外周には、水平配置の水底泥土内沈降防止板３９が一体に備えられており、これによって水底の軟弱土上に着底させた際の泥土内への沈み込みを少なくするようになっているとともに、採掘室用容器１０の下端の変形防止のための補強となっている。
【００３９】
胴部１１は鋼板性の内筒１１ａと外筒１１ｂとによる二重壁構造となっており、両筒１１ａ，１１ｂを同心配置とし、両者間の空隙部にスペーサを介在させて、所定の間隔を維持させている。この二重壁間に浮力調整装置を構成する浮力調整用空洞部１３が形成されており、内部空洞の容積を調整することによって、浮力を調整するようになっている。また、二重壁構造は、水圧に対する補強の役目をも受け持つ。
【００４０】
尚、この浮力調整用空洞部１３は、胴部１１の上半部に、その周方向に複数設け、各浮力調整用空洞部１３、１３......の浮力を個別に調整することによって採掘室用容器１０全体の姿勢を制御できるようになっている。
【００４１】
浮力調整用空洞部１３による浮力は、内部に注排水することによって行っており、図には示してないがポンプによって内部に水を強制的に注排水させることによって空気容積を変化させることにより調整するようになっている。
【００４２】
胴部１１の上端には、図５に示すように鋼材を使用した桁材による格子状の天端補強構１５が、天端内を閉じる配置に一体化され、その下側に天井板１２が固定されている。この天井板１２により胴部１１の上端を、後述するスリット１７部分を除き閉鎖している。
【００４３】
天端補強構１５の上には、採掘室用容器自体の水中重量を軽減させる浮力体４０が取り付けられている。この浮力体としては、前述したシンタクチックフォームが使用できる。
【００４４】
天端補強構１５及び天井板１２には、胴部１１の中心を通る配置に揚泥管３移動用のスリット１７が形成されており、このスリット１７に沿って移動する水平移動架台１８が備えられ、この架台１８に開けられた揚泥管挿入穴１９内に揚泥管３が上下に移動可能に挿入されている。
【００４５】
移動架台１８は、駆動手段によって強制移動されるようになっており、駆動手段としては、例えば図５〜図７に示すように、スリット１７の両縁に備えたラック２０と、架台１８に備えたピニオン２１と、該ピニオン２１を正逆方向に回転させる駆動モータ２２とを使用することができる。
【００４６】
揚泥管３の下端部外周には、採掘室用容器１０内から抜け止めさせるための抜け止め手段が備えられている。この抜け止め手段２３によって揚泥管３がその下端部分を採掘室用容器１０内に挿入された状態で抜け止めされ、これによって揚泥管３をレアアース資源泥採取船１によって引き上げることにより、採掘室用容器１０が水底面より引き離されて上昇されるようになっている。
【００４７】
抜け止め手段２３としては、揚泥管３の外周に突設したフランジ２４を使用することができ、このフランジ２４がスリット１７の下側に当たり、採掘室用容器１０に対する上側への相対移動を阻止させることができる。
【００４８】
採掘室用容器１０には、図４、図５に示すように、水平移動用推進装置２８と、上下移動用推進装置２９が装備されている。水平移動用推進装置２８は、回転軸を水平方向に向けた水平移動用スクリュー３０，３０......が使用され、これらは回転軸方向を水平３６０度方向に調整することができるようになっている。上下移動用推進装置２９は、回転軸を上下方向に向けた上下移動用スクリュー３１，３１......が使用されている。これらのスクリュー３０,３１は図示してないが電動モータにて駆動されるようになっている。
【００４９】
これらのスクリュー３０の回転軸方向をすべて同じ向きとすることによって採掘室用容器１０を所望の向きに推進させることができ、また、全てのスクリュー３０を採掘室用容器１０の外周縁方向に向けることによって採掘室用容器１０を旋回させることができる。
【００５０】
採掘室用容器１０の下部外周及び内部の適宜の位置にライト付カメラ３２（図４に示す）が設置され、このカメラを通じて水底の状態、これに対する採掘室用容器１０の下端及び揚泥管３の下端の状態を船上にて監視できるようになっている。
【００５１】
また、レアアース資源泥採取船１上では、図には示してないが、揚泥管３の上端と、空気と水及びレアアース資源泥を分離する分離槽との間が送泥ホースにより連通され、分離槽内に沈殿したレアアース資源泥を底部から泥溜槽に送り出すようになっている。
【００５２】
次に、上述した深海におけるレアアース資源泥の採掘装置を使用した採掘方法について説明する。
【００５３】
採掘室用容器１０を陸上の制作ヤードやドックで製造し、自らの浮力によって洋上に浮かべるか、台船に乗せる等してレアアース資源泥採掘現場に移動させる。採掘現場では、図８（ａ）に示すように、揚泥管３の最下端部管３ａを採掘室用容器１０上の水平移動架台１８の揚泥管挿入穴１９に下側より通し、これをレアアース資源泥採取船１の揚泥管垂下装置５にセットする。
【００５４】
尚、この時揚泥管挿入穴１９が採掘室用容器１０の重心を通る垂直線状にあるように水平移動架台１８の位置を調整するとともに、採掘室用容器１０の浮力調節用空洞部に注水し、浮力を採掘室用容器１０の自重により後述する揚泥管３の降下速度程度の速度で沈降する状態とし、採掘室用容器１０が最下端部管３ａによって水面下に吊り下げられた状態とする。
【００５５】
この状態で最下端部管３ａを降下させ、その上端がレアアース資源泥採取船１上で次の分割揚泥管３ｂ、３ｂ......順次継ぎ足しつつ降下させる。この降下中に潮流の影響によって揚泥管３に対して横向きの力が加わり、採掘室用容器１０がレアアース資源泥採取船１の直下に降下されない場合は、水平移動用スクリュー３０を必要な向きに調整してこれを駆動させることにより、レアアース資源泥採取船１の直下に降下されるようにコントロールする。
【００５６】
このようにして分割揚泥管３ｂを順次連結しつつ採掘室用容器１０を水底のレアアース資源泥層２上に着底させる。この状態では図８（ｂ）に示すように揚泥管３の下端は採掘室用容器１０のほぼ中央内に垂下され、レアアース資源泥層２に達しない高さにある。採掘室用容器１０の着底後、その浮力調整用空洞部１３内に注水し、浮力を減じ、自重によって着底状態を安定させる。レアアース資源泥採取船１上では揚泥管３の上端に分離槽３２に通じる送泥ホース３３を連結する。
【００５７】
尚、浮力調整空洞部１３の水圧対する耐力以上の水深である場合には、その水深に到る前に内部を水で満たすことによって浮力調整空洞部の破損を防ぐことができる。
【００５８】
次いで、水平移動架台１８を図８（ｃ）に示すようにスリット１７の一端側に移動させ、エアリフト用給気管６にエアリフト用の空気を送り込み、揚泥管３内に噴出させ、揚泥管３内部に上昇流を生じさせる。この状態でレアアース資源泥採取船１の揚泥管垂下装置５を揚泥管垂下側に作動させ、揚泥管３の下端をレアアース資源泥層２に徐々に近づける。
【００５９】
これによってレアアース資源泥層２の表面のレアアース資源泥は揚泥管３内に上昇流によって揚泥管３の下端開口より吸い上げられて上昇し、送泥管を通して分離槽に送り込まれる。
【００６０】
このようにして図９（ａ）に示すように、所望の深さまで揚泥管３を降下させてレアアース資源泥を採掘する。この時、水底面採掘状態は図９（ａ）に示すようにほぼ円形の採掘孔３６ａが形成される。
【００６１】
このように採掘穴３６ａを形成した後、レアアース資源泥採取船１上から揚泥管３をその下端がレアアース資源泥層２の表面高さまで引き上げる。図９（ｂ）図１０（ｂ）に示すように、水平移動架台１８を所定の採掘穴ピッチ分だけ水平移動させる。この時、揚泥管３の下端部はレアアース資源泥採取船１に対して振り子軌跡上を移動することとなるが、水深が３５００ｍ以上もある深海では、揚泥管３の下端はほとんど上下等することなくほぼ水平に移動する。
【００６２】
このようにして１採掘ピッチ分だけ水平移動させた状態で、図９（ｃ）、図１０（ｃ）に示すように、再度揚泥管３を降下させ、先に採掘した採掘穴３６ａの側部を同様にして採掘する。このようにして次の採掘穴３６ｂを先の採掘穴３６ａ隣に連続させた状態に形成する。
【００６３】
このように揚泥管３を降下−上昇−水平移動−降下−上昇を繰り返し、図９（ｄ）、図１０（ｄ）に示すように採掘穴３６ａ、３６ｂ......を互いに側面間が連なった状態に順次形成することにより採掘溝３７が形成されるようにレアアース資源泥採掘を行う。
【００６４】
このようにして水平移動架台１８が図９（ｄ）に示すように、スリット１７の他端側まで到達した後、図１０（ｅ）に示すように採掘室用容器１０を採掘溝３７と直交する側に、該採掘溝３７の幅分だけ移動させる。この時の採掘室用容器１０の移動は、揚泥管３を作業船上から、その下端が水底面から離れる高さまで上昇させ、採掘室用容器１０をその浮力調整用空洞部１３内を排水して自らの浮力を増加させるとともに、上下移動用推進装置２９を作動させて離底させる。この状態で水平移動用スクリュー３０を稼働させて、前記採掘溝の幅方向にその幅分だけ移動させる。
【００６５】
尚、水底地盤の条件等の要因によって採掘室用容器１０の浮力増加分及び上下移動用推進装置２９の上向きの推進力だけでは離底させることができない場合は、船上より揚泥管３を引き上げることによって採掘室用容器１０を離底させる。
【００６６】
尚、上述した採掘室用容器１０を使用した採掘作業を行う水底の深さが浮力調整空洞部１３の水圧対する耐力以上の水深である場合には、その水深に到る前に内部を水で満たしておき、上下移動用推進装置２９の上向きの推進力及び船上における揚泥管３の上下操作によって採掘室用容器１０を上下させる。
【００６７】
尚、上述した実施例では、揚泥管３内に上昇流発生手段としてエアリフトを使用しているが、この他、揚泥管３の途中にスクリュー羽根や水中ポンプなどの各種の水流発生手段を使用してもよく、作業船上での減圧ポンプによって揚泥管３内に負圧を生じさせることによって上昇流を発生させてもよい。
【００６８】
また、事前の水底地質調査によって、レアアース資源泥を採取しようとする水底の地盤が、揚泥管３内に上昇流による吸引のみでは採取できない程度の硬さであることが判明している場合には、予め揚泥管３の下端に、海底地盤を攪乱する水底地盤攪乱手段を取り付けた揚泥管３を使用する。
【００６９】
水底地盤攪乱手段としては、港湾等で使用している浚渫用回転カッターや、揚泥管３の下端からジェット水を噴射して地盤を掘削するジェット水式の掘削装置等、各種の掘削装置が使用できる。
【符号の説明】
【００７０】
１  レアアース資源泥採取船
２  レアアース資源泥層
３  揚泥管
３ａ  最下端部管
３ｂ  分割揚泥管
５  揚泥管垂下装置  
６  エアリフト用給気管
７  脱気装置
８  リボンスクリュー
９  脱気管
１０  採掘室用容器
１１  胴部
１２  天井板
１１ａ  内筒
１１ｂ  外筒
１３  浮力調整用空洞部
１５  天端補強構
１７  スリット
１８  水平移動架台
１９  揚泥管挿入穴
２０  ラック
２１  ピニオン
２２  駆動モータ
２３  抜け止め手段
２４  フランジ
２８  水平移動用推進装置
２９  上下移動用推進装置
３０  水平移動用スクリュー
３１  上下移動用スクリュー
３２  ライト付カメラ
３６ａ，３６ｂ  採掘穴
３７  採掘溝
３８  浮力体
３９  水底泥土内沈降防止板
４０  浮力体
【要約】
【課題】深海のレアアース資源泥層の広がりに対応し、安全に採掘し、揚泥できる深海におけるレアアース資源泥の採掘。
【解決手段】下側が解放された鋼函製の採掘室用容器１０と、海面上の作業船から垂下され、下端が採掘室用容器１０の天井部分から軸方向には移動可能で水平方向の相対移動が規制された状態で挿入された中空筒状の揚泥管３とを有し、揚泥管３には、下端開口からの海底の泥土を水とともに上昇させるための上昇流発生手段が備えられ、採掘室用容器１０は、揚泥管３の下端部に対して抜け落ち不能に連結されていて、揚泥管３が作業船から水底に向けて繰り出されることによって水底に着底されるようになっているとともに、揚泥管３は、採掘室用容器１０が着底した状態でその下端を海底表面の泥質地盤に挿入可能となっている。
【選択図】図１【図１】
0006052691.tif 000002
【図２】
0006052691.tif 000003
【図３】
0006052691.tif 000004
【図４】
0006052691.tif 000005
【図５】
0006052691.tif 000006
【図６】
0006052691.tif 000007
【図７】
0006052691.tif 000008
【図８】
0006052691.tif 000009
【図９】
0006052691.tif 000010
【図１０】
0006052691.tif 000011